【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
アナログオーディオ信号をＡ／Ｄ変換してオーディオデータを生成するステップと、
前記オーディオデータを有するオーディオタイトルセット（ＡＴＳ）と、前記オーディオデータに関するスチルピクチャデータを有するスチルピクチャセット（ＳＰＳ）とを有し、
前記ＳＰＳは複数のスチルピクチャオブジェクト（ＳＰＯＢ）と前記スチルピクチャオブジェクト（ＳＰＯＢ）を再生するためのスタートアドレスマップを有するスチルピクチャインフォメーション（ＳＰＳＩ；ＡＳＶＳＩともいう）とを含み、
前記スチルピクチャオブジェクト（ＳＰＯＢ）は、
スチルピクチャのボタン操作用ハイライトデータからなるハイライトパック及びボタン表示用サブピクチャデータからなるサブピクチャパックを実質的に有さず、前記スチルピクチャデータからなるスチルピクチャパックを有する第１のスチルピクチャオブジェクト（ＳＰＯＢ）と、
前記ハイライトパック及びサブピクチャパックとスチルピクチャパックを有する第２のスチルピクチャオブジェクト（ＳＰＯＢ）の２種類で構成されており、
前記スチルピクチャインフォメーション（ＳＰＳＩ）は前記第２のスチルピクチャオブジェクト（ＳＰＯＢ）のサブピクチャデータをデコードするためのパレット情報（ＡＳＶＯＢＳサブピクチャパレット）を有しており、
さらに、前記オーディオタイトルセット（ＡＴＳ）が前記スチルピクチャデータをページ制御する制御情報であって時間制御モード（スライドショーモード）とユーザページめくり制御モード（ブラウザブルモード）を識別するためのモードデータ（ディスプレイタイミングモード）を有する制御情報（ＳＰＣＩＴ）を含むオーディオタイトルセット・インフォメーション（ＡＴＳＩ）を有している、
データ構造であって、
前記サブピクチャパックがパックヘッダとサブピクチャパケットを有し、前記サブピクチャパケットがパケットヘッダとサブピクチャデータを有し、前記サブピクチャパックが前記第１のスチルピクチャオブジェクト（ＳＰＯＢ）又は第２のスチルピクチャオブジェクト（ＳＰＯＢ）の最初のサブピクチャパックである場合に、その旨を示す情報がそのパックのパケットヘッダに収納されており、さらに、前記制御情報（ＳＰＣＩＴ）にはスチルピクチャのスタート時に強制的に選択されるボタン番号（ＦＯＳＬ−ＢＴＮ）を含むデータ構造にフォーマット化するステップと、
からなるオーディオ信号のエンコード方法。
【請求項２】
請求項１に記載のオーディオ信号のエンコード方法によりエンコードされて生成されたデータのデコード方法であって、
前記スチルピクチャインフォメーション（ＳＰＳＩ；ＡＳＶＳＩともいう）に配置される前記第２のスチルピクチャオブジェクト（ＳＰＯＢ）のサブピクチャを復元するためのパレット情報（ＡＳＶＯＢＳサブピクチャパレット）をデコードする第１のデコードのステップと、
前記第２のスチルピクチャオブジェクト（ＳＰＯＢ）に配置されるハイライトパック及びサブピクチャパックとスチルピクチャパックからハイライトデータ、サブピクチャデータ及びスチルピクチャデータをデコードする第２のデコードのステップと、
前記制御情報（ＳＰＣＩＴ）から時間制御モード（スライドショーモード）とユーザページめくり制御モード（ブラウザブルモード）を識別するための前記モードデータ（ディスプレイタイミングモード）をデコードする第３のデコードのステップと、
少なくともスチルピクチャのスタート時に強制的に選択されるボタン番号（ＦＯＳＬ−ＢＴＮ）により前記第１のデコードのステップから取り出されたパレット情報（ＡＳＶＯＢＳサブピクチャパレット）に基づいて、前記第２のデコードのステップで取り出されたサブピクチャデータを復元してハイライトデータとスチルピクチャデータと共に出力し、前記スチルピクチャデータを前記第３のデコードのステップで取り出されたモードデータにより制御するステップと、
からなるデコード方法。
【手続補正２】
【補正対象書類名】明細書
【補正対象項目名】０００７
【補正方法】変更
【補正の内容】
【０００７】
【課題を解決するための手段】
本発明は上記目的を達成するために、以下の１）〜２）に記載の手段よりなる。
すなわち、
【手続補正３】
【補正対象書類名】明細書
【補正対象項目名】０００８
【補正方法】変更
【補正の内容】
【０００８】
１）アナログオーディオ信号をＡ／Ｄ変換してオーディオデータを生成するステップと、
前記オーディオデータを有するオーディオタイトルセット（ＡＴＳ）と、前記オーディオデータに関するスチルピクチャデータを有するスチルピクチャセット（ＳＰＳ）とを有し、
前記ＳＰＳは複数のスチルピクチャオブジェクト（ＳＰＯＢ）と前記スチルピクチャオブジェクト（ＳＰＯＢ）を再生するためのスタートアドレスマップを有するスチルピクチャインフォメーション（ＳＰＳＩ；ＡＳＶＳＩともいう）とを含み、
前記スチルピクチャオブジェクト（ＳＰＯＢ）は、
スチルピクチャのボタン操作用ハイライトデータからなるハイライトパック及びボタン表示用サブピクチャデータからなるサブピクチャパックを実質的に有さず、前記スチルピクチャデータからなるスチルピクチャパックを有する第１のスチルピクチャオブジェクト（ＳＰＯＢ）と、
前記ハイライトパック及びサブピクチャパックとスチルピクチャパックを有する第２のスチルピクチャオブジェクト（ＳＰＯＢ）の２種類で構成されており、
前記スチルピクチャインフォメーション（ＳＰＳＩ）は前記第２のスチルピクチャオブジェクト（ＳＰＯＢ）のサブピクチャデータをデコードするためのパレット情報（ＡＳＶＯＢＳサブピクチャパレット）を有しており、
さらに、前記オーディオタイトルセット（ＡＴＳ）が前記スチルピクチャデータをページ制御する制御情報であって時間制御モード（スライドショーモード）とユーザページめくり制御モード（ブラウザブルモード）を識別するためのモードデータ（ディスプレイタイミングモード）を有する制御情報（ＳＰＣＩＴ）を含むオーディオタイトルセット・インフォメーション（ＡＴＳＩ）を有している、
データ構造であって、
前記サブピクチャパックがパックヘッダとサブピクチャパケットを有し、前記サブピクチャパケットがパケットヘッダとサブピクチャデータを有し、前記サブピクチャパックが前記第１のスチルピクチャオブジェクト（ＳＰＯＢ）又は第２のスチルピクチャオブジェクト（ＳＰＯＢ）の最初のサブピクチャパックである場合に、その旨を示す情報がそのパックのパケットヘッダに収納されており、さらに、前記制御情報（ＳＰＣＩＴ）にはスチルピクチャのスタート時に強制的に選択されるボタン番号（ＦＯＳＬ−ＢＴＮ）を含むデータ構造にフォーマット化するステップと、
からなるオーディオ信号のエンコード方法。
２）１）に記載のオーディオ信号のエンコード方法によりエンコードされて生成されたデータのデコード方法であって、
前記スチルピクチャインフォメーション（ＳＰＳＩ；ＡＳＶＳＩともいう）に配置される前記第２のスチルピクチャオブジェクト（ＳＰＯＢ）のサブピクチャを復元するためのパレット情報（ＡＳＶＯＢＳサブピクチャパレット）をデコードする第１のデコードのステップと、
前記第２のスチルピクチャオブジェクト（ＳＰＯＢ）に配置されるハイライトパック及びサブピクチャパックとスチルピクチャパックからハイライトデータ、サブピクチャデータ及びスチルピクチャデータをデコードする第２のデコードのステップと、
前記制御情報（ＳＰＣＩＴ）から時間制御モード（スライドショーモード）とユーザページめくり制御モード（ブラウザブルモード）を識別するための前記モードデータ（ディスプレイタイミングモード）をデコードする第３のデコードのステップと、
少なくともスチルピクチャのスタート時に強制的に選択されるボタン番号（ＦＯＳＬ−ＢＴＮ）により前記第１のデコードのステップから取り出されたパレット情報（ＡＳＶＯＢＳサブピクチャパレット）に基づいて、前記第２のデコードのステップで取り出されたサブピクチャデータを復元してハイライトデータとスチルピクチャデータと共に出力し、前記スチルピクチャデータを前記第３のデコードのステップで取り出されたモードデータにより制御するステップと、
からなるデコード方法。